(57)【特許請求の範囲】
【請求項１】
襟ぐり部を有する本体部と、該本体部の左右両側部から延設された１対の係止片とを有し、１対の該係止片を介して装着される使い捨てエプロンにおいて、
上記本体部の上記襟ぐり部に、所定深さの切り込みが所定間隔をおいて複数設けられて、複数の首部当接片が形成されており、
上記本体部は、下側の縁端部が幅方向中央から折り重ねられ該下側の縁端部どうしで固着されており、上記本体部の下方部分が、装着時の前方側となる方向に迫り出したポケット部を形成することを特徴とする使い捨てエプロン。
【請求項２】
上記本体部の上記襟ぐり部の前面部には、該本体部に連設され、該本体部との連設部において折曲された折曲片が設けられており、上記切り込みが、上記前面部と上記折曲片とに亘って設けられていることを特徴とする請求項１に記載の使い捨てエプロン。
【請求項３】
１対の上記係止片を相互に係合させて装着するようになしてあることを特徴とする請求項１または請求項２に記載の使い捨てエプロン。
【請求項４】
１対の上記係止片を装着者の肩部後方に配置固定して装着するようになしてあることを特徴とする請求項１または請求項２に記載の使い捨てエプロン。
【発明の詳細な説明】
【０００１】
【発明の属する技術分野】
本発明は、襟ぐり部を有する本体部と、該本体部の左右両側部から延設された１対の係止片とを有し、１対の該係止片を介して装着される使い捨てエプロンに関し、更に詳しくは、よだれや食事時の食べこぼしによる衣服や身体の汚れを良好に防止できる使い捨てエプロンに関する。
【０００２】
【従来の技術及び発明が解決しようとする課題】
従来より、襟ぐり部を有する本体部と、該本体部の左右両側部から延設された１対の係止片とを有する使い捨てエプロンはよく知られている。この様な使い捨てエプロンは、係止片どうしを肩部後方において結合させたり、係止片をそれぞれ装着者の肩部後方において衣服に固定させる等して、本体部の襟ぐり部を装着者の首元に配置して装着する。この様な使い捨てエプロンは、乳幼児等のよだれや食事時の食べこぼしによる衣服の汚れを回避するために使用される。
【０００３】
しかし、上述の使い捨てエプロンは、保管や持ち歩きに便利なように、偏平形状に形成されているため、襟ぐり部が装着者の首回りにうまくフィットし難く、よだれや飲食物が口の回りから首を伝ってそのまま衣服の裏側に入り込んでしまい、衣服が裏側から汚れてしまう問題点がある。
上述の問題点を解消するために、従来より、本体部の襟ぐり部に舌状片を延設し、この舌状片を装着者側に折曲させ、本体部と舌状片との間に衣服を挟んで装着する技術が提案されている。この使い捨てエプロンでは、舌状片によって、装着者の衣服の襟ぐりの裏側が飲食物等により汚れるのが回避される。しかし、このような使い捨てエプロンにおいても、やはり使い捨てエプロンの襟ぐり部は装着者の首回りにフィットし難く、よだれや飲食物が装着者の胸元まで入り込んで装着者の身体が汚れたり、また胸元深くにおいて衣服が汚れる場合がある。
【０００４】
従って、本発明の目的は、よだれや食事時の食べこぼしによる衣服や身体の汚れを良好に防止できる使い捨てエプロンを提供することにある。
【０００５】
【課題を解決するための手段】
本発明は、襟ぐり部を有する本体部と、該本体部の左右両側部から延設された１対の係止片とを有し、１対の該係止片を介して装着される使い捨てエプロンにおいて、上記本体部の上記襟ぐり部に、所定深さの切り込みが所定間隔をおいて複数設けられて、複数の首部当接片が形成されており、上記本体部は、下側の縁端部が幅方向中央から折り重ねられ該下側の縁端部どうしで固着されており、上記本体部の下方部分が、装着時の前方側となる方向に迫り出したポケット部を形成することを特徴とする使い捨てエプロンを提供することにより、上記目的を達成したものである。
【０００６】
【発明の実施の形態】
以下、本発明の使い捨てエプロンの実施形態を図面を参照しながら具体的に説明する。本発明の一実施形態としての使い捨てエプロン２０について説明する前に、参考形態としての使い捨てエプロン１０について説明する。尚、本参考形態の使い捨てエプロン１０は、乳幼児の食事用の使い捨てエプロンである。
【０００７】
図１は、参考形態の使い捨てエプロンにおいて折曲片を展開させた状態を示す展開平面図、図２は図１の使い捨てエプロンにおいて折曲片を折曲させた状態を示す裏面図、図３は図１の使い捨てエプロンにおいて折曲片を折曲させた状態を示す断面図、図４は図１の使い捨てエプロンを装着した状態を示す図である。
【０００８】
使い捨てエプロン１０は、襟ぐり部１１ａを有する本体部１１と、該本体部１１の左右両側部から延設された１対の係止片１２，１２とを有しており、１対の該係止片１２，１２を介して装着されるようになしてある。
【０００９】
使い捨てエプロン１０では、図１及び図２に示すように、上記本体部１１の上記襟ぐり部１１ａに、所定深さの切り込み１３が所定間隔をおいて複数設けられて、複数の首部当接片１４が形成されている。
【００１０】
使い捨てエプロン１０では、図２及び図３に示すように、上記本体部１１の襟ぐり部１１ａの前面部１１ｂには、該本体部１１に連設され、該本体部１１との連設部において折曲される折曲片１５が設けられており、上記前面部１１ｂと上記折曲片１５とに亘って上記切り込み１３が設けられている。
また、使い捨てエプロン１０は、１対の上記係止片１２，１２を相互に係合させて装着するようになしてある。
【００１１】
使い捨てエプロン１０は、親水性層及び非透水性層の２層状に形成されたシートから形成されている。
上記親水性層は、パルプ、レーヨン、コットン、またはコットンと合成繊維の混合材等を用いて形成することができる。上記非透水性層は、ＰＥＴやＰＥ等を用いて形成することができる。この非透水性層は、透湿性を有することが好ましい。
【００１２】
そして、このシートの一縁端部近傍に該一縁端部と逆側の開いた開ループ状切り込み５１を入れ、且つ該開ループ状切り込み５１と上記一縁端部とを結ぶ直線状の分割切り込み５２を入れることにより、該開ループ状切り込み５１の外側に一対の上記係止片１２，１２及び襟ぐり部１１ａの側部１１ｃ，１１ｃが形成されている。また、上記開ループ状切り込み５１の内側を結ぶ直線状の切り落とし切り込み５３を入れて該切り落とし切り込み５３と上記開ループ状切り込み５１に囲まれた部分を切り落とすことにより、上記開ループ状切り込み５１の内側に、折曲片１５が形成されている。そして、この折曲片１５が親水性層側に折曲重合され、襟ぐり部１１ａの上記前面部１１ｂが形成されている。
【００１３】
一対の上記係止片１２，１２のうち一方の係止片１２の縁端部には面状ファスナーのオス部材１６が配設され、他方の係止片１２の縁端部には面状ファスナーのメス部材１７が上記オス部材１６に係合可能に配設されており、これらオス部材１６とメス部材１７とを係合させることにより係止片１２，１２どうしが結合され、係止片１２，１２と本体部１１の襟ぐり部１１ａとが装着者の首回りに配置されるようになっている。
【００１４】
上記切り込み１３は、本体部１１の襟ぐり部１１ａ全体に形成されている。この切り込み１３は、襟ぐり部１１ａの左右の側部１１ｃ，１１ｃにおいては、首回りに配置される周縁１１ｄから０．５〜３ｃｍの深さに、０．５〜３ｃｍの間隔をおいて形成されている。襟ぐり部１１ａの前面部１１ｂ及び折曲片１５においては、該前面部１１ｂと折曲片１５とに亘るように、襟ぐり部１１ａと折曲片１５との連設部から襟ぐり部１１ａの前面部１１ｂと折曲片１５の両方にそれぞれ０．５〜３ｃｍの深さに、０．５〜３ｃｍの間隔をおいて形成されており、折曲片１５を折曲させ襟ぐり部１１ａの前面部１１ｂに重ねると、前面部１１ｂに形成された切り込み１３と折曲片１５に形成された切り込み１３とが重なるようになっている。
【００１５】
上記首部当接片１４は、上記切り込み１３が設けらることにより、該切り込み１３どうしの間に形成されている。この首部当接片１４は、襟ぐり部１１ａの前面部１１ｂにおいては、上記襟ぐり部１１ａと折曲片１５とから形成されており、前面部１１ｂ以外の襟ぐり部１１ａの左右の側部１１ｃ，１１ｃにおいては、襟ぐり部１１ａのみから形成されている。
【００１６】
また、使い捨てエプロン１０では、本体部１１の下側縁端部に、ポケット部１８が該本体部１１と一体に形成されている。このポケット部１８は、図３に示すように、本体部１１の下側縁端部から延設された延設片６０を非透水性層側を内側にして上方に折曲させた後一旦下方に向けて折曲させて左右に亘る折り込み部１８ａを形成させた後再び上方に折り返し、本体部１１及びこの延設片６０の互いに対向する非透水性層どうしを左右両側縁部において接着することにより形成されている。そして、このポケット部１８は、上記折り込み部１８ａを広げることにより、図４に示すように、底部に平面視略楕円形状のマチ１８ｂが形成されるようになっている。
更に、本体部１１の左右両側部の長手方向略中央部には補助粘着テープ１９，１９が連設されている。この補助粘着テープ１９，１９は粘着面が本体部１１の親水性層側となるように配置されており、本体部１１の左右両側部の親水性層側表面には、補助粘着テープ１９，１９の粘着面を剥離可能に粘着可能な剥離部が設けられている。
これら以外の構成については従来の公知技術と同じである。
【００１７】
上述の構成を有する本参考形態の使い捨てエプロン１０は、未使用時には、補助粘着テープ１９，１９は折曲され、その粘着面が剥離部に粘着されている。
そして、使用に際して、非透水性層を外側に、親水性層側を装着者側にして本体部１１を装着者の胸前に配置し、折曲片１５と本体部１１との間に衣服を挟み、係止片１２，１２を装着者の背中側に回してオス部材１６とメス部材１７を係合させ、補助粘着テープ１９，１９を剥離部から剥離して装着者に粘着させて装着する。この状態では、首部当接片１４は装着者の首回りに沿って立体的に当接される。また、ポケット部１８の折り込み部１８ａを広げてマチ１８ｂを設けておく。
【００１８】
この様に、本参考形態の使い捨てエプロン１０によると、本体部１１の襟ぐり部１１ａに切り込み１３が設けられて複数の首部当接片１４が形成され、首部当接片１４が装着者の首回りに沿って立体的に当接配置されるので、使い捨てエプロン１０と装着者の首回りとの間に隙間が生じず、よだれや飲食物が首回りから装着者の胸元に入り込むのを回避することができる。
本参考形態の使い捨てエプロン１０によると、襟ぐり部１１ａの前面部１１ｂに折曲片１５が連設されており、衣類の襟ぐりに折曲片１５が裏側から面接されるので、衣類の襟ぐりが裏側から汚れるのを回避することができる。
本参考形態の使い捨てエプロン１０によると、装着時にポケット部１８の底部にマチ１８ｂを設けて立体的且つ大容量とすることができるので、ポケット部１８によってよだれや飲食物を確実に受け止めることが可能である。
【００１９】
本参考形態の使い捨てエプロン１０によると、１枚のシートから容易な製造が可能である。
本参考形態の使い捨てエプロン１０によると、未使用時に偏平形状に折り畳んでおくことが可能であり、保管や持ち運びが容易である。
本参考形態の使い捨てエプロン１０によると、外側が非透水性層により形成されているので、よだれや飲食物が浸透することがなく、衣服が汚れるのを確実に回避することができる。
本参考形態の使い捨てエプロン１０によると、係止片１２，１２どうしの結合が、面状ファスナーのオス部材１６とメス部材１７とを係合させることによりなされるので、ひも等よりも簡単な操作で、粘着テープのように髪の毛等に付着してしまうおそれのない、スムーズな装着が可能である。
本参考形態の使い捨てエプロン１０によると、補助粘着テープ１９，１９によって本体部１１の左右両側部が装着者に固定されるので、装着中に本体部１１がずれることがなく、よだれや飲食物がポケット部１８によってより確実に受け止められる。
【００２０】
次に、本発明の使い捨てエプロンの一実施形態を図面を参照しながら具体的に説明する。尚、本実施形態において図１乃至図４に示す使い捨てエプロン１０と同一の部材に関しては同一の符号を付し、説明は省略する。
【００２１】
図５は、本発明の使い捨てエプロンの一実施形態を示す平面図、図６は図５の使い捨てエプロンを装着使用可能にした状態の斜視図である。
【００２２】
本実施形態の使い捨てエプロン２０では、図５に示すように、開ループ状切り込み５１の内側に切り落とし切り込み５３は設けられておらず、開ループ状切り込み５１の内側全体が折曲片２５となっている。
また、本体部２１は下方部分がやや先細に形成されており、下側縁端部２１ｅが親水性層を内側にして幅方向中央から折り重ねられ該下側縁端部２１ｅどうしで固着されており、延設片は設けられていない。
更に、本体部２１の左右両側部の長手方向略中央部には補助粘着テープは設けられていない。
本実施形態においてこれら以外の構成は上述した参考形態の使い捨てエプロン１０と同じである。
【００２３】
上述の構成を有する本実施形態の使い捨てエプロン２０は、本体部２１の下方部分を非透水性層が内側となるように反転させると、図６に示すように、上記下方部分がしゃくれ上がり、装着時の前方側となる方向に迫り出したポケット部２８が形成される。そしてこの状態で、係止片１２，１２を装着者の背中側に回してオス部材１６とメス部材１７を係合させ、首部当接片１４を装着者の首回りに当接させて着用する。
【００２４】
この様に、本実施形態の使い捨てエプロン２０によると、首部当接片１４が装着者の首回りに沿って立体的に当接配置されるので、使い捨てエプロン２０と装着者の首回りとの間に隙間が生じず、よだれや飲食物が首回りから装着者の胸元に入り込むのを回避することができる。
本実施形態の使い捨てエプロン２０によると、襟ぐり部１１ａの前面部１１ｂに折曲片２５が連設されており、衣類の襟ぐりに折曲片２５が裏側から面接されるので、衣類の襟ぐりが裏側から汚れるのを回避することができる。
本実施形態の使い捨てエプロン２０によると、装着者の前方側に迫り出し、容量の大きなポケット部２８が形成されるので、このポケット部２８によってよだれや飲食物を確実に受け止めることが可能である。
【００２５】
本実施形態の使い捨てエプロン２０によると、１枚のシートから容易な製造が可能である。
本実施形態の使い捨てエプロン２０によると、未使用時に偏平形状に折り畳んでおくことが可能であり、保管や持ち運びが容易である。
本実施形態の使い捨てエプロン２０によると、外側が非透水性層により形成されているので、よだれや飲食物が浸透することがなく、衣服が汚れるのを確実に回避することができる。
本実施形態の使い捨てエプロン２０によると、係止片１２，１２どうしの結合が、面状ファスナーのオス部材１６とメス部材１７とを係合させることによりなされるので、ひも等よりも簡単な操作で、粘着テープのように髪の毛等に付着してしまうおそれのない、スムーズな装着が可能である。
【００２６】
次に、他の参考形態としての使い捨てエプロン３０について図面を参照しながら具体的に説明する。尚、本参考形態において図１乃至図４に示す上述した使い捨てエプロン１０と同一の部材に関しては同一の符号を付し、説明は省略する。
【００２７】
図７は、他の参考形態としての使い捨てエプロン３０を示す平面図である。
【００２８】
本参考形態の使い捨てエプロン３０では、図７に示すように、折曲片は設けられておらず、切り込み１３が、本体部１１の襟ぐり部１１ａの縁部全体に設けられ、首部当接片１４は襟ぐり部１１ａのみから形成されている。
また、係止片３２，３２は本体部１１から該本体部１１の長手方向に向けて短く延設形成されており、係止片３２，３２の縁端部どうしは隣接していない。
そして、係止片３２，３２には、面状ファスナーのオス部材やメス部材は設けられておらず、それぞれの自由端部の非透水性層側に粘着テープ３６，３６が連設されている。この粘着テープ３６，３６は、粘着面が使い捨てエプロン３０の本体部１１の親水性層側となるように配置されており、係止片３２，３２の縁端部の親水性層側表面には、粘着テープ３６，３６の粘着面を剥離可能に粘着可能な剥離部が設けられている。
更に、本体部１１の左右両側部の長手方向略中央部には補助粘着テープは設けられていない。
本使い捨てエプロン３０においてこれら以外の構成は上述の使い捨てエプロン１０と同じである。
【００２９】
上述の構成を有する本参考形態の使い捨てエプロン３０は、未使用時には、粘着テープ３６，３６は折曲され、その粘着面が剥離部に粘着されている。
そして、使用に際して、粘着テープ３６，３６の粘着面を剥離部から剥離して図７中に破線で示す如く伸展させ、この状態のまま、粘着テープ３６，３６の粘着面を装着者の肩部後方において衣類に粘着させることにより、係止片３２，３２を装着者の肩部後方に固定して、使い捨てエプロン３０を装着する。
【００３０】
本参考形態の使い捨てエプロン３０によると、首部当接片１４が装着者の首回りに沿って立体的に当接配置されるので、使い捨てエプロン３０と装着者の首回りとの間に隙間が生じず、よだれや飲食物が首回りから装着者の胸元に入り込むのを回避することができる。
本参考形態の使い捨てエプロン３０によると、装着時にポケット部１８の底部にマチ１８ｂを設けて立体的且つ大容量とすることができるので、ポケット部１８によってよだれや飲食物を確実に受け止めることが可能である。
本参考形態の使い捨てエプロン３０によると、１枚のシートから容易な製造が可能である。
本参考形態の使い捨てエプロン３０によると、未使用時に偏平形状に折り畳んでおくことが可能であり、保管や持ち運びが容易である。
本参考形態の使い捨てエプロン３０によると、外側が非透水性層により形成されているので、よだれや飲食物が浸透することがなく、衣服が汚れるのを確実に回避することができる。
【００３１】
本発明は上述した実施形態に限定されるものではなく、各部材の具体的な形状、寸法等は、適宜変更可能である。
例えば、本発明の使い捨てエプロンの材料となるシートは、上述の各使い捨てエプロン１０，２０，３０の如く親水性層と非透水性層の２層状に形成されていることが好ましいが、非透水性層のみから形成することもできる。
上記切り込み１３は、襟ぐり部１１ａ全体に設けられていることが好ましいが、一部にのみ設けることもできる。またこの切り込み１３は、上述の各使い捨てエプロン１０，２０，３０の如く、周縁１１ｄから０．５〜３ｃｍの深さに、０．５〜３ｃｍの間隔をおいて形成するのが、乳幼児に装着させて首部当接片１４を首回りに良好にフィットさせ、よだれや飲食物が胸元へ入り込むのを確実に防ぐためには好ましいが、この大きさに限定されるものではない。
上記係止片１２，１２，３２，３２は、上述の各使い捨てエプロン１０，２０，３０の如く本体部１１，２１と一体に形成されていなくてもよい。
【００３２】
上記係止片１２，１２，３２，３２を介して使い捨てエプロンを装着する手法は、上記の使い捨てエプロン１０及び２０の如く、面状ファスナーによるものが好ましいが、上記の使い捨てエプロン３０の如く粘着テープ３６，３６を衣服に粘着させたり、粘着テープを被粘着テープに粘着させたり、帯状又は紐状の係止片どうしを結ぶ等の手法を採用することもできる。
上記補助粘着テープ１９，１９に代えて、本体部１１，２１の長手方向略中央部において左右両側部から紐を連設し、この紐を背中で結んで装着状態の固定を補助させるようにしてもよい。
また、係止片１２，１２，３２，３２の形状、折曲片１５の有無及び形状、係止片１２，１２，３２，３２どうしの結合又は係止片１２，１２，３２，３２の衣服への止着の手段（面状ファスナーのオス部材１６とメス部材１７や、粘着テープ３６，３６）、ポケット部１８，２８の形状、補助粘着テープ１９，１９の有無等は各使い捨てエプロン１０，２０，３０において相互に交換可能である。
【００３３】
【発明の効果】
以上説明したように、本発明の使い捨てエプロンによれば、よだれや食事時の食べこぼしによる衣服や身体の汚れを良好に防止できる。
【図面の簡単な説明】
【図１】  参考形態の使い捨てエプロンを示す展開平面図である。
【図２】図１の使い捨てエプロンにおいて折曲片を折曲させた状態を示す裏面図である。
【図３】図１の使い捨てエプロンにおいて折曲片を折曲させた状態を示す断面図である。
【図４】図１の使い捨てエプロンを装着した状態を示す図である。
【図５】  本発明の使い捨てエプロンの一実施形態を示す平面図である。
【図６】図５の使い捨てエプロンを装着使用可能にした状態の斜視図である。
【図７】  他の参考形態の使い捨てエプロンを示す平面図である。
【符号の説明】
１０    使い捨てエプロン
１１    本体部
１１ａ  襟ぐり部
１１ｂ  前面部
１１ｃ  側部
１１ｄ  周縁
１２    係止片
１３    切り込み
１４    首部当接片
１５    折曲片
１６    オス部材
１７    メス部材
１８    ポケット部
１８ａ  折り込み部
１８ｂ  マチ
１９    補助粘着テープ
２０    使い捨てエプロン
２１    本体部
２１ｅ  下側縁端部
２５    折曲片
２８    ポケット部
３０    使い捨てエプロン
３２    係止片
３６    粘着テープ
５１    開ループ状切り込み
５２    分割切り込み
５３    切り落とし切り込み
６０    延設片
【図１】
0003642631.tif 000002
【図２】
0003642631.tif 000003
【図３】
0003642631.tif 000004
【図４】
0003642631.tif 000005
【図５】
0003642631.tif 000006
【図６】
0003642631.tif 000007
【図７】
0003642631.tif 000008